(57)【要約】  本発明は、好気性または嫌気性排水純化用の固定ベッドに関し、少なくとも上方水平フレーム（１）と下方フレーム（５）およびこれらを結合する手段とを有する。フレーム（１）は、両側のレール（２，３）または中間レール（４）に固定されて、繊維であり、折畳み可能な非分離性の微生物用支持体を取付けるための支持エレメント（６）を有し、下方水平フレーム（５）は、繊維支持体を下方フレームに固定する支持エレメントを有し、前記手段は、フレーム（１，５）を少なくとも隅部で結合する。  本発明の目的は、固定ベッドの全部分が組立可能であり、比較的小さなパッケージユニットを形成できる種類の固定ベッドを構成することである。このユニットは挿入された繊維を有し、操作側での固定ベッドの迅速かつ簡単な準備を可能とする。この目的は、本発明のとりわけ、フレーム（１，５）が、少なくとも隅領域でスペーサ（７，８）とともに設けられ、これらのスペーサの高さは二つのフレーム（１，５，９）間の折り畳んだ支持体の物質の高さに相当し、支持体は折畳み以前の組立準備段階で支持体（６）によってフレーム（１，５，９）の側レール（２，３）または中間レール（４）に固定されることによって達成される。
2014530749.tif 000002
【特許請求の範囲】
【請求項１】
対向するレール（２，３）および、または中間レール（４）に固定された支持エレメント（６）を有する上方水平フレーム（１）と、下方水平フレームに繊維支持物を固定するための支持エレメント（６）を有する下方水平フレーム（５）と、フレーム（１，５）を結合する手段とを少なくとも有するものであって、フレーム（１，５）が隅領域において少なくともスペーサ（７，８）を具え、前記スペーサの高さがフレーム（１，５，９）間の折り重ねた支持体の物質高さに相当し、折る以前の予備組立てにおいて支持エレメント（６）によって、フレーム（１，５，９）の側レール（２，３）および中間レール（４）またはいずれか一方に固定され、スペーサ（７，８）にまたは上に垂直軸受に挿入しうる横取付エレメント（１０）又はコラム（１１）が在り、フレーム（１，５，９）が、横取付エレメント（１０）結合することによって、または長いコラム（１０）を貫通軸受に挿入することによって、積み重ね包装ユニットを形成する位置から動作位置に組立てられ、排水タンクに挿入されうることを特徴とする好気性または嫌気性排水純化用固定ベッド。
【請求項２】
取付フレームが水平フレーム（１，５，９）の両側に少なくとも横方向に取付エレメント（１０）として取付けられ、スペーサ（７，８）、補強エレメント（１６，１７），水平フレーム（１，９，５）の側レール（２，３）に結合されることを特徴とする請求項１に記載の固定ベッド。
【請求項３】
コラム（１１）用の垂直受止器がフレーム（１，５，９）の隅域に少なくとも設けられ、コラムは上方と下方のフレーム（１，５）間の幅と少なくとも同じであり、コラム（１１）受止器に連続的に挿入され、フレーム（１，５，９）が繊維支持体（２９）に適合されたのち上方フレーム（１）は支持物質（２９）の同時折りとともに直下のフレーム（５，９）の方にさげられ、コラムの除去またはより短いコラム（１１）の挿入後前記支持物質とともにコンパクトな積重ねた船送ユニット形成でき、より長いコラムをコラム延長部に挿入または配置した後、上方フレーム（１）の高さが据付サイトで上の方に調節され、上げられたフレーム（１）が長いコラムに固定され、一方下のフレーム（５）はサポート（２９）の重み付けフレームとして働き、コラム（１１）上をすべりまたサポート（２９）が拡げられる位置でコラム（１１）に固定されることを特徴とする請求項１に記載の固定ベッド。
【請求項４】
コラム（１１）が分離し得るコラム（１１）であり、フレーム（１，５，９）のレール（２，３）とともにスペーサ（７，８）の少なくとも全高さを超える下方部と、これに結合されるかまたは伸縮自在に結合される各下方部分に固定されうることを特徴とする請求項１に記載の固定ベッド。
【請求項５】
少なくとも一つの中間フレーム（９）が上方フレーム（１）と下方フレーム（５）との間に介在されることを特徴とする請求項１に記載の固定ベッド。
【請求項６】
通気エレメント（１３）を有する通気フレーム（１２）が下方フレーム（５）の直下にはいされることを特徴とする請求項１に記載の固定ベッド。
【請求項７】
コラム（１１）が通気フレーム（１２）上のスペーサ（７）の受止器を介して挿入されベースへの空間を作り、通気フレーム（１２）がコラム（１１）に固定されるかまたは脚を有する側フレームが取付エレメント（１０）としてスペーサ（７）に固定されることを特徴とする請求項６に記載の固定ベッド
【請求項８】
取付エレメント（１０）またはコラム（１１）は水平フレーム（１，５，１２）が固定された後、上方フレーム（１）の上に突出することを特徴とする請求項１に記載の固定ベッド。
【請求項９】
ラグまたはフックが、取付エレメント（１０）の頂上側、コラム（１１）の側フレームまたは突出端または上方フレーム（１）の端レール（１４，１５）に固定され、このラグまたはフックに上昇装置が固定されることを特徴とする請求項１または８に記載の固定ベッド。
【請求項１０】
壁スペーサが、上方水平フレーム（１）のレール（２，３，４，１４，１５）の少なくとも一つにまたは取付エレメント（１０）の少なくとも１つの上方レールに、側フレームに取付けられ、または排水タンクの固定ベッドまたは結合エレメントが固定されて、排水タンクに平行取付の固定ベッドを固定する位置でコラム（１１）の少なくとも一つに固定されることを特徴とする請求項９に記載の固定ベッド。
【請求項１１】
三角補強材（１６，１７）が、フレーム（１，５，９，１２）のレール（２，３，１４，１５）の隅領域のスペーサ（７，８）のために設けられることを特徴とする請求項１に記載の固定ベッド。
【請求項１２】
三角補強材（１６，１７）およびスペーサ（７，８）が、中間フレーム（９，５）の頂側部、底側部に、上方フレーム（１）の底側部に、下方フレーム（１２）の頂側部に取付けられることを特徴とする請求項１１に記載の固定ベッド。
【請求項１３】
三角補強材（１６，１７）が孔（１８）あけされ、これに、フランジ（１９）および（２７）を取付けた少なくとも一つの側フレーム（１０）が固定されることを特徴とする請求項１１または１２に記載の固定ベッド。
【請求項１４】
コラム（１１）が、中空コラムであり、底部で通気エレメント（１３）に、および頂部で通気エレメント（１３）に結合され、頂部に圧縮空気入口を有することを特徴とする請求項１に記載の固定ベッド。
【請求項１５】
コラム（１１）が水平フレーム（１，５，９）間の自由領域に孔を設けており、これらの孔を通して空気または排水タンクに導入されることを特徴とする請求項１４に記載の固定ベッド。
【請求項１６】
支持体（２９）が非分解物質で作られ、ひも状、リボン状、または管状繊維体であるか、または編んだ繊維管であり、または個々の繊維管また複数の繊維がグループまたは巣状の繊維管であり、または微生物用定着ストリップおよび分離用スペーサストリップをもつブロード布であることを特徴とする請求項１に記載の固定ベッド。
【請求項１７】
支持エレメント（６）の引張のために、ラグが非分解性支持体（２９）に取付けられ、または繊維支持体（２９）がラグを形成するために編まれることを特徴とする請求項１６に記載の固定ベッド
【請求項１８】
支持エレメント（６）が相互結合可能なストリップでありかつこれらが集合されるとき、支持物質がクランプされるか、またはストリップが溶かされるとき、支持物質はこれとともに溶かされ得ることを特徴とする請求項１６に記載の固定ベッド。
【請求項１９】
Ｃ形状または他の形状のレールが、支持エレメント（６）として設けられ、これに締着ストリップ（２１，２２）用ホルダー（２０）がＴ形状またはフック状エレメントとともに、固定または挿入され、支持材が前記締着ストリップ（２１，２２）に固定されることを特徴とする請求項１６または１７に記載の固定ベッド。
【請求項２０】
固定ストリップ（２１，２２）が２つの相互結合し得る形状のストリップであり、これらのストリップは永久にまたは離脱自在に相互結合され、結合時に支持材をクランプすることを特徴とする請求項１９に記載の固定ベッド。
【請求項２１】
ストリップ（２１，２２）が細長い受止器（２３）を有し、これにホルダー（２０）の保持板（２４）が挿入され得ることを特徴とする請求項２０に記載の固定ベッド。
【請求項２２】
細長い受止器（２３）が、蟻溝状またはＣ形状外形を有することを特徴とする請求項２１に記載の固定ベッド。
【請求項２３】
ストリップ（２１，２２）が、プラスチック物質で作られ、細長いかまたは垂直くし構造を有し、対応ストリップの溝に係合する溝（２５）および峰部（２６）すなわち相互結合格子パターン（２６）を持ち、かつこれらが支持材の挿入後、共に圧縮されるかまたは溶着されることを特徴とする請求項１９乃至２２のいずれか一項に記載の固定ベッド。
【発明の詳細な説明】
【技術分野】
【０００１】
本発明は好気性または嫌気性排水純化用の固定ベッドに関し、少なくとも、繊維状で折り重ね可能な非分解性の支持物を固着するための端サイドレールおよび中間レールまたはいずれか一方のレールに固定された支持エレメントを有する上方フレームと、繊維支持物を固定する支持要素を有する下方フレームと、各フレームを相互結合かつ適宜間隔をあける手段とを具える。
【背景技術】
【０００２】
汎用型の固定ベッドは独国特許DE-10343743-B4で周知であり、少なくとも、２つの端支持物または壁に固定された上方支持レールおよび懸架ケーブルまたはいずれか一方と、上に微生物用のプラスチック定着体が直列に配される非分解性の物質の支持糸、ロープまたは個々の単一フィラメント織物と、繊維、ストリップまたは紐状の定着ストリップまたは同様な触媒物質を有するストリップまたは織り合わされたすトリップの基本支持構造を形成する繊維状のブロード布地、およびまたは同様な触媒物質を有する定着域を持つフィールドからなる。
【０００３】
周知の固定ベルトは固定ベッドに垂直方向に配され底部で他のパイプに近接または結合しうる少なくとも一つのパイプおよびまたは管が放射の出口に設けられ、かつ、ガス状または液体の付加物を導入するため管の上方側に少なくとも一つの接続が設けられ、固定ベッドは少なくとも三つのことを隅コラムの自己支持フレームワークを有し、このフレームの少なくとも一つは中空コラムであり、少なくとも一つの垂直管を形成し，隅コラムによって限定されるスペースの方向に少なくとも放射出口を有する。そのスペースには支持ヤーンロープ、ファイバー、繊維定着ストリップまたはビロード布が配される。この隅コラムは結合レールを介して少なくとも上方側に結合される。このコラムは同時に保持棒または懸架ケーブルの支持も果たすと共に、同時に固定ベッドはコンテナーの底から隔てて配され、かつコラムの延長部またはコラム脚に立座する。この構造はガスまたは液化物の供給を改善し必要時にサンプルを取り出すことを可能にする。これはまた固定ベッドの簡単な構成の変更を可能にするとともにベッドを備えるユニットも同様である。
【０００４】
微生物定着用の支持物質としての繊維物質または好気性または嫌気性排水純化用の触媒物質は処理用の排水が満たされたタンクに吊るされ、独国特許DE-4125315-C1で知られている。その物質は繊維状ビロード布である。この布は繊維物質で作られた定着スプリットと介在するスペーサスプッリトからなる。これらのスプリットは互いに隣接または相互連結され、頂部の固定ラップを有し、底部で固定されるかまたは重みで沈められる。排水タンクの配列は固定ベッドとして構成される。
【０００５】
独国特許DE-19512965は汚染された排水特に油汚染された排水の生物学的処理用のバイオリアクターを示し、反応タンクに配された微生物用エレメントとこのエレメントに配された通気口からなる。支持エレメントは紐状綱管で構成され、反応タンクの取付部に懸架される。従ってこれらのエレメントは互いに自由に動き、大きな表面積を持ったパッキングが微生物支持体として綱管に配される。
【０００６】
欧州特許EP-0164508-B1は腐敗タンクの長さにわたって懸架されたリボン状支持体を示す。支持フレームはこの目的のため設けられ、個々のリボン状の織成繊維支持物が個々にこれに固定される。リボン状接触材が支持フレームを使用して上げまたは下げ、これらの共通の環状体の底部に固定される。
【０００７】
欧州特許EP-0159535-B1は排水純化プラントの微生物用リボン状支持物の使用を示す。これらのリボン状支持物はテンタークレームの上方および下方支持体のまわりに置かれ、これとともにタンクに下げられる。この物質はループ内に置かれる触媒活性物質である。フレームの下での酸素の供給と結合して、この物質は触媒酸化をもたらし、かくて支持物の排水の純化を起す。
【０００８】
さらに嫌気性排水純化の方法および装置は独国公開特許DE-3607520-A1から知られている。この方法および装置において、付加的な織物は二つの異なる高さで反応室に置かれ、これにより付加的な定着面を作る。これは水に含まれる有機不純物の嫌気性低下に有用なバイオマスを増加させる。
【０００９】
排水純化装置は微生物定着用支持物質または好気性または嫌気性排水純化用の触媒物質のような少なくとも一つの繊維材からなり、この装置は独国特許DE-19730839-C2に周知である。繊維状物質はストリップ状または紐状の定着ストリップであって互いに隣接して配され、いずれか一方が頂部で固定ラグを有するかまたは底部で固定されるか沈下される。スリーブまたは保持ループが定着ストリップの長手方向にわたって等高に配され、これは横方向に挿入されうる少なくとも一つの付加的な重み付け、固定または保持棒を受止するためのものであり、この付加棒の少なくとも一つは運動発生装置と連結される。
【００１０】
さらに、特定の繊維状または輪状の物質に使用する生物学的純化プラントに使用する繊維物質が独国特許DE-10132546-C1に知られている。機械的な負荷容量には依存しない基礎構造体が効果物質に沿う繊維物質の長手方向に設けられる。本特許はまた、排水処理反応器に入れられ懸架される支持装置からなり、この装置は前記の繊維物質とマウントを有し、このマウントとしては実質的に安定なフレームが設けられる。ここで繊維物質は弾性であり、特に弾力性または可動な要素によってフレームに懸架され、弾性要素は積極的に動きうる。
【００１１】
排水中で浮かぶ可撓性のリボン状物質から作られる微生物定着体は独国公開特許DE-19753707-A1で知られている。これらの定着体は排水中で浮かぶことが可能なフロートを有する。定着体は環状のリングに結びつけられ、このリングは空気注入ラインに結合され、かつ放出空気用の注入ノズルを有する。
【００１２】
連続的なプラスチックフィルムのストリップからなる流体の生物学的処理用の浸漬型固定ヘッドは独国公開特許DE-19947517-A1で知られている。これらのストリップは支持装置から吊るされ、連続構成が好ましい。これらのストリップは、固定ベッドが固いブロックの鋼管で作られた固定ベッドとして機能するようにひろげられる。
【００１３】
独国実用新案DE-29521504-U1は浸漬固定ベッドを有する排水処理プラント用の通気装置を有し、浸された固定ベッド直下に空気を供給する複数の空気出口ノズルを有し、かつこのベッドに沿うか直下の取付けに適した少なくとも一つの通気ノズルからなる装置を開示している。
【００１４】
前記型の周知の固定ベッドの間には、反応器にガスまたは空気を入力させ、これにより純化の部分として酸素または他のガスとともに支持物質と微生物または触媒を有する支持物質を供給する通気装置がある。
【００１５】
排水処理プラントにおいて、固定ベッドによる効果的な純化を確実にする前提条件は最適な通気であり、または他のプロセスおよび特殊な微生物が使用される場合には、特殊なガスの連続的な供給または養分溶液としての液体の附加またはある物質を沈殿させるための化学活性剤の添加であり、独国特許DE-10343743-B4は固定ベッド反応器に適当な追加物が加えられることを示している。
【先行技術文献】
【特許文献】
【００１６】
【特許文献１】独国特許DE-10343743-B4
【特許文献２】独国特許DE-4125315-C1
【特許文献３】独国特許DE-19512965
【特許文献４】欧州特許EP-0164508-B1
【特許文献５】欧州特許EP-0159351-B1
【特許文献６】独国公開特許DE-3607520-A1
【特許文献７】独国特許DE-19730839-C2
【特許文献８】独国特許DE-10132546-C1
【特許文献９】独国公開特許DE-19753707-A1
【特許文献１０】独国公開特許DE-19947517-A1
【特許文献１１】独国実用新案DE-29521504-U1
【特許文献１２】独国特許DE-10343743-B4
【発明の概要】
【発明が解決しようとする課題】
【００１７】
最初または他の例に記載された固定ベッドの欠点は、これらが据付サイトで対応する繊維材にのみ適合できることである。これは、単一または複数の固定ベッドが排水タンクまたは反応器に設けられる場合である。独国特許DE-10343743-B4から分かるように、固定ベッド装置の組立て、すなわちフレーム構成は非常に複雑である。なかんずく、全体のフレーム構造をサイトと共に置かなければならない。さらに繊維微生物支持物質は別々に運ばれ、かつ据付サイトの組立フレームに手動で懸架または固定されなければならない。サイトの大きさによっては、非常にコストがかかり、不必要な汚染につながる。さらに繊維が配される全体フレームは分解して運ばれ、全ての部分は、定着支持物として役立つ繊維が組立フレームに挿入される前に共に配置されなければならない。
【００１８】
従来技術にかんがみ、本発明の目的は固定ベッドのあらゆる部分が、かなり小さなパッケージユニットを形成するべく、組立てることができる固定ベッドを構成することである。このユニットは既に挿入された繊維を含み、固定ベッドは迅速かつ容易に運転サイトで組立てできるものである。
【課題を解決するための手段】
【００１９】
上記目的は、請求項１に記載された技術的教示に係る固定ベッドを構成することによって達成される。本発明の有利な発展形は、従属項において詳細に記載される。
【００２０】
本発明によれば、全体の固定ベッドのフレームは少なくとも隅領域のスペーサと共に設けられ、このスペーサの高さは二つのフレーム間の折り畳んだ支持物の物質の高さに相当し、この支持物は折り畳み以前の予備組立中の支持エレメントによって、フレームの側レールまたは中間レールに固定される。
【００２１】
加えて、軸受またはスペーサを介して垂直方向に挿入されうる横取付エレメントまたはコラムが設けられ、これらはフレームが積まれたパッケージユニットを形成する位置から作動位置に上昇することを可能にする。これは横取付エレメントを取付けるかまたは長いコラムを軸受に挿入し、その後排水タンクに挿入することによって行う。これらの取付エレメントは、繊維支持物に対して全水平フレームを固定するためまたは通気フレームを挿入するために役立つ。下方のフレームの真下に通気エレメントが固定される。これにより微生物定着および微生物による害物の分解を進めるための空気またはガスの供給を可能にする。かかる通気フレームは、もちろんパッケージユニットにも含まれるし、他のフレームと同じ介在手段からなる。
【００２２】
固定ベッドのみが上方フレームおよび下方フレームを有する場合は、その間に繊維が広げられるならば、上方または下方に突出する管状のスペーサの一つを具えることで充分である。
【００２３】
しかしながら、もしフレームが三角形の補強プレートによって隅領域で補強されるならば、所定の高さのスペーサが下方に突出する上方フレームの下側の隅領域に設けられ、上方に突出するスペーサが直下のフレームに適合配列に設けられ、これにより補強プレートのサイズを最小にすることがすすめられる。二つのプレート間の間隔はスペーサ全体の高さによって決定される。重ねた固定ベッドはパレットに固定されて運ばれる。ネットまたは包装フィルムのような移送固定装置が結合を確実にする。もちろん、他の固定エレメントを付加的に設けてもよい。
【００２４】
しかしながら、固定ベッドが高さ３メートル以上ありうるから、中間フレームおよび挿入支持エレメントによって、繊維の長さにわたる圧力を逃すことが望ましい。かかるケースで一つまたはそれ以上の中間フレームを設けることがすすめられる。これらの中間フレームは、一方側または両側に等しくスペーサを有し、これらのスペーサは隅領域の頂上および直下にあり、頂上または直下のフレームと共に折り畳んだ繊維の貯蔵スペースを形成するものである。もし、隅部が三角板によって補強されれば、スペーサの高さは、二つのスペーサが共に隣接フレーム間に通常の隙間を形成するように半分にされなければならない。究極的に、この隙間は微生物支持体としての繊維の選択に依る。もし、それが厚いまたは管状の支持体で、隣接した懸架繊維間に小さな隙間があれば、より大きな折り重ねる高さが必要であり、フレーム間の間隔は隙間に折り重ね支持体を貯えることができるように適合されなければならない。隣接するフレーム間の空洞は折り畳んだ繊維部によって完全に満たされる。また、繊維と共にフレームは搬送ユニットを形成する。これは運送パレットに置くことができ、なおかつ船積みまたは移送できるので、意図した応用−例えば４ｍ２に相当するフレーム域が可能である。また、このパッケージは取付エレメントを有し、そのエレメントに所定の高さおよび大きな間隔で、エレメントが結合されることを可能にするフレーム構造である。この目的のため、横フレームがストラップまたはフランジからできていて、これらは補強プレートに対応したフレーム上に配されうる。もし、対応孔が付加的にプレートに設けられれば、これらはねじによって結合される。全フレームおよびプレートがステンレス鋼で作られることは明らかである。なぜならば、推してこれらが侵食性の排水と接触するからである。しかし、実際にはプラスチック物質で作られるかまたはプラスチック物で包んだフレームやコラムが用いられる。この型の横フレームは取付エレメントとして役立ち、輸送中の固定ベッドの上フレームに折り重ねフレームとして置かれるか、または繊維のために広げられるフレーム取付エレメントとして用いられる。二つのかかるフレームは水平フレームの両側に取付けられ、スペーサまたは補強エレメントに、ねじ結合またはリベット結合される。
【００２５】
フレームの隅領域には、少なくともコラム用の垂直受止体を設けることが特に便利である。このような垂直受止体は上および下フレーム間の隙間の幅に相当する最小の長さを有し、コラムに挿入しうるものである。フレームが繊維支持体に適合した後、上方のフレームは下に配されたフレームの方に下げられ、同時に折り畳んだ支持物質は、コラムの除去またはより短いコラムの挿入の後でコンパクトな搬送ユニットを形成する。
【００２６】
組立時に長いコラムすなわち延長部は、短いコラム上に置かれ、各フレームは所定位置に上げられた状態で、フレームはコラムに固定される。下方のフレームは支持体への重みづけフレームとして役立ち、支持体が引っ張られる時、コラム上を滑るかコラムに固定される。明らかに、フレーム上の受止物が積み重ねた状態であったとしても、コラムを介して相互結合されるという利点を有する。一つの例では、これらのコラムは取付けられたコラム部分によって輸送後も伸ばすことができるかまたは長いコラムと取り替えることができる。前者の場合、取付けられるコラムと既に挿入された現存するコラム部分の間で結合がなされなければならない。上方のクレームおよび設けられた中間フレームは長いコラム上を滑ることができ、かくて所望する高さに形成され、位置づけされる。
【００２７】
原則的に、排水タンクへの空気の供給は固定ベッドから分かれる。しかし、固定ベッドの直下から直接通気することも可能である。通気エレメントは通気フレームに設けられ、このフレームは下方の水平フレームの下に取付けられる。通気フレームは上の繊維用フレームと同じ寸法を有するべきである。従って、これは通気フレームとの直接の結合を形成することを可能にし、コラムまたは横取付エレメントによって、間隔を設定することで、最適な通気カーテンを達成することを可能にする。
【００２８】
隅部に配されるコラムが水平フレーム間に隙間を作るために使用される場合には、これらのコラムは通気フレーム上の受止体を通して挿入され、ある間隔を与えるために、ベースに取付けられる。通気フレームは固定エレメント−例えばボルトによってベースから所定の高さに固定される。もちろん取付エレメントとして用いられる横フレームは、足下に設けてもよく、通気フレームと水平フレーム両方のスペーサに固定される。
【００２９】
上昇装置用の付加的固定具またはフック、突起を取付けるために、取付エレメントとして役立つコラムまたは側フレームは、水平フレームが固定された後で上方フレームの上に突出させるべきである。フック・突起・スペーサのような結合物が取付けられることによって、コラムまたは隣接する固定ベッドに結合する。この突起は、短いコラムが輸送のために用いられる場合または固定ベッドが組立状態にある時、長いコラムまたは延長材が用いられる場合に役立つ。
【００３０】
コラムを使用する個所で、コラムを所定位置にのばすか、または長いコラムと取り替えて水平フレームをコラムの上にスライドさせ、折り畳んだ繊維物質を同時にひろげることが明らかである。この構造は、簡単な組立体を短時間・低コストで作成することができ、基礎的な構成は単に別々に引き出されるようにし、例えば水平フレームが対応する高さでの自動ロックが与えられるから、部品を結合することなく、上昇装置−例えばトラック取付のクレーンで達成することができる。
【００３１】
上昇装置用の突起・フックは、上方のフレーム−例えば側レールまたは終端レールに固定される。しかし、これらはコラムに直接またはその延長部に設けることがすすめられる。明らかにスペーサおよび固定ブラケットは、フレームまたはコラムに取付けられる可能性がある。もし、コラムが長方形の管で構成されれば、これらのスペーサおよび固定ブラケットは非回動のように取付けられ、壁スペーサとして用いることができる。これらフック状であれば、壁突起に懸架することもできる。これにより、側壁に関して排水タンクの内側での固定ベッドの所定距離を作り、かつ同時に安定位置を確実にする。もちろん、結合エレメントを固定ベッドとこれに隣接する第２の固定ベッドの間に同様に設け、配置することができ、二つの隣接固定ベッドの間にしっかりした結合を作ることができる。
【００３２】
もし、管状コラムが使用されるならば、これらのコラムは管状の外形を有し、かつ下端で通気フレームの通気エレメントに接続される。ついで必要な圧縮空気が、下側のヘッダおよび中空コラムを介して、通気エレメントに供給され、特殊な導管を配置することなく、空気が必要時に排水タンクに供給される。通気エレメントへの空気供給コラムとして役立つ、かかるコラムは固定ベッドの内部にのびる小さな孔の形の開口を有し、この開口を通して空気が排出される。排水純化に応答し、繊維に定着し、かつ定着される微生物への酸素の追加供給のために、放射することができる。
【００３３】
織り合わされた個々の管が、連続してまたはグループ状に配される非分解性のひも状、リボン状または管状繊維体またはブロード布は、有機体の支持体として用いられる。しかし織り合わされた表面は組み合わされた繊維管の繊維システムにまた用いることができ、織った繊維管が通気されることを可能にする。好ましくは、微生物を分離するスペーサストリップと結合した微生物用定着ストリップのビロード布が使用される。独国特許DE-10343743-B4およびDE-10132546-C1に記述されているようにあらゆる繊維支持物質が使用される。
【００３４】
支持エレメントに繊維物資の水平フレームを固定することができるようにするために、支持エレメントを引っ張るラグを取付けることができる。特にブロード布のような繊維体が両側にラグを作る為にまた配されかつ縫い込まれる。その後これらのラグは支持エレメントを上方に引っ張るものである。この引っ張る工程は工場内の予備組立の一部としてロボットによって行うことができる。
【００３５】
支持エレメントは相互結合しうる外形のストリップからなる。これらが集合される時、支持体はクランプされるかまたはストリップが溶着される時、支持体がそれに溶着される。特に、プラスチック繊維からなるブロード布が使用されれば、固定エレメントを機械的に取付けることが可能である。もし対応するラッチが設けられれば、これはその当該ストリップを相互結合し、同時にブロード布をクランプすることによってなされる。もし当該ストリップがプラスチック物質で作られるならば、或る点で共に溶着されるように構成することができる。ブロード布の個々の繊維がこの工程中にまた溶着されうる、かまたはブロード布のみがクランプによって保持されるように溶着点が決められる。側レール及び中間レールの受止器はある外形のストリップからなる支持エレメントがこれに固定されるように形成されることは言うまでもない。
【００３６】
繊維物の予備組立中、組立てを簡単にするために、別の形が設けられる。Ｃ形が供給エレメントとして設けられ、水平フレームに並行に配列される。これらのホルダーは固定ストリップを支持し、このストリップは頂部で繊維を相互結合する。これらの固定ストリップは二つの相互結合可能な外形のストリップからなり、これらのストリップは永久または離脱自在に相互結合され、結合される時に支持材を締結する。これに対しては、多くの異なる変更例がある。
【００３７】
カーテンは３メートルまたはそれ以上の長さに比例し、非常に重いので、ストリップは共にねじ止めされるかまたは締結エレメントによって共に締結されるべきである。しかしながら、二つのストリップ間に繊維布を締結し、かつ共に溶着することが可能であり、そのプロセスの間、繊維の挿入部分は同時に相互連絡する。このような外形のストリップを単にホルダーによってＣ形に保持するためには、ストリップはＣ形長手方向の外形を有するべきであり、その結果保持器は保持機と共にこの外形に挿入される。固定ストリップはＣ支持体と並行にのびるかまたは支持エレメントを横切るように直角にのびる。それぞれの場合、保持器の構成および固定ストリップの配列による。
【００３８】
この外形ストリップは上記のように、溶着されるプラスチック材で作られる。しかしながら、繊維を締結する間、二つの外形ストリップを共に掛止させることができる掛止エレメントを設けることができる。支持体が変えられる時、これらの外形ストリップは再使用できる。つまり外形ストリップは種々の構造のグリッドパターンを相互結合できる。
【００３９】
本発明は以下の図面に示す実施例に関して、より詳細に説明される。
【図面の簡単な説明】
【００４０】
【図１】可撓性支持物質なしのパッケージユニットとしての本発明による固定ベッドの斜視図である。
【図２】排水タンクに挿入される組立状態での図１の包装ユニットとして示された固定ベッドの斜視図である。
【図３】図２の固定ベッドの分解状態の斜視図である。
【図４】一部保持器と共に支持エレメントに懸架された非分解可能な繊維用の固定ストリップの透視斜視図である。
【図５】相互結合可能な固定ストリップを示す説明図である。
【発明を実施するための形態】
【００４１】
図１乃至図３に示す本発明に係る固定ヘッドの実施例は側レール２，３、および端レール１４，１５を有する上方水平フレーム１を有する。このフレーム１は中間レール４によって分割される。中間レール４および側レール２，３は軸受点たとえばＵ形状の軸受点を有し、これにより支持エレメント６を受止する。微生物定着用繊維支持体２９は第２図に示すようにこれらの支持エレメント６に固着される。図２は一例として単一のストリップの広い布のみを示す。
【００４２】
上方フレーム１の直下には中間フレーム９が存する。このフレーム９は上方フレーム１と同じ構造を有し、同様に支持エレメント６を具えていて、例えば取付けたラッグによってそこに支持体２９を固定することができる。中間フレーム９の下方にはさらに下方のフレーム５が存在し、フレーム１は９と同じ構造であり、同様に支持エレメント６を具えている。このエレメント６は下側からフレームに係合するので好ましい。ここでこれらは中間レール４と側レール２，３の凹部に取付けられる。下方フレーム５の直下には通気フレーム１２があり、ここにノズルからなる通気エレメント１３が固定ベッドの長手方向に延びて固定される。
【００４３】
図１はパレット２８上に置かれた、フレーム１，９，５，１２の積み重ねを示し、配送ユニットを示す。特殊な特徴はフレーム１，５，９，１２が他の頂上で積み重ねられるという事実にある。これらの間隔は、側および端レール、２，３，１４，１５の隅領域に付けられたスペーサ７，８に作られる。本実施例では四角形の断面チューブを示す。ホール１８を有する三角形の補強材１６，１７はスペーサ７，８と対応レールとの間に設けられ、スペーサ７，８が各フレーム１，５，９，１２に結合されるのを安定化する。各フレーム１，９，５はこのようにして形成されるフットを有する。中間フレーム９と下方のフレーム５は下方に突起するスペーサのみならず上方に突起するスペーサを有し、これらのスペーサは隣接するフレームのスペーサ７，８と協働して二つのフレーム１，９間または９，５間、５，１２間に間隔を作る。この間隔は微生物定着用の予め組立てられた繊維支持物質がこれらを折ることによる間隙に挿入されるのを可能にするためにプリ組立工程後、図１に示すようにパケージユニットにするために必要である。サポート材（図１には示されていない）、例えば図２に示すサポート２９は多くの並列配列に設けられるかかまたは異なる構成にしうる間隙に折られ、スタックの一体部分となるコラム１１は隅領域でスペーサ７，８に挿入され、これによって組立てられた積み重ねフレーム１，５，９，１２間に堅牢な結合を作り、したがってこのようにして準備されたパッケージはパレット２８を使用する取付サイトに運ばれる。取付サイトに必要な全てはフレーム１，５，９，１２の必要高さ間隔を作るためであり、従ってサポート２９は広げることができる。前記サポートはまた重み付け手段によってぴんと張ることができる。
【００４４】
図１から分かるように、固定ベッドを形作るために必要なだけコラム１１を伸ばすことによってフレーム１，９；９，５間の間隔を変えることは非常に簡単である。このために必要な伸張コラムはまたパッケージユニットに運ばれ、例えば上方フレーム１の頂上に置かれる。これらはその後コラム１１の突出端に置かれ，そこに固定される。従ってフレーム１は上方に押される。追加された伸長コラムは所要の高さで固定されるような孔を有し、これによりフレーム１，９がボルトによって所定の高さに固定されるようにする。同様にコラム１１の固定孔または盲孔の対応配列により、下方フレームフレーム５はまた上方に押されかつ前記コラム１１に固定される。従って下方フレームをコラム１１上に沿って自由に滑動させることは利益がある。従って前記下方フレームは重み付けフレームとして作動しかつサポート２９でぴんと張らせることができる。最下方レベルには通気エレメント１３からなる通気フレーム１２があり、この通気エレメント１３は排水タンクに空気または酸素または他のガスを導入することができるノズルを有し、これらの気体は好気性または嫌気性排水の純化のために必要なガスとともに微生物を供給するために必要である。もし中空のコラム１１がこの構造のために用いられれば、コラムの少なくとも一つは空気を通気エレメントに供給するためにもちいられる。これを行うために通気エレメント１３は結合管に介して圧縮空気により圧縮されたコラムに結合されなければならない。
【００４５】
組立てられた固定ベッドを適宜排水タンクに挿入することができるために、フックまたはラグがコラムの上端に設けられる。従って固定ベッドは３メートルの高さを有し，昇降装置を用いて移送され得る。いうまでもないが、パレット２８の移送固定装置はまず最初にパレットがリフトオフされる前に取り除かなければならない。図３は個々のフレームとコラム１１の代わりに追加した横取付のエレメント１０を示す。この取付エレメントは四方形のフレーム構造を有し、フランジ２７および隅フランジ１９を設けていて、これに補強エレメント１６が螺合される。フレーム１，５，９，１２間の高さ間隔はフランジ２７と隅フランジ１９の画成によって決定される。取付エレメント１０は揺動ヒンジによって衝突自在であり、従ってまた図１によるショッピングユニットに追加されうる。組立中取付エレメントは例えば側部に当接しうる。これを行うために上方フレーム１は上に上げられ、補強エレメント１６と共に上方隅フランジ１９に羅合され、適合孔がこの目的のために補強エレメント１６および１７および隅フランジ１９に設けられる。中間フレーム９はその下でフランジ２７に羅合され、下方フレーム５は下のフレームに最後の通気フレーム１２は底に設けられた隅フランジ１９に羅合される。これはフレームが固定されるにしたがって繊維支持材が巻き戻されるが故に予め製作された固定ベッドを組立てるのに最も簡単な方法である。組立中、フレームはクレーンまたは他の上昇装置によって上げられ、サポートを介して相互結合される。もちろんフックまたはラグは上方フレーム１の側レール２，３および端レール４，５と同じ方法で横方向取付エレメント１０の頂上に締着され、これにより上昇装置を運送のために締着することができる。
【００４６】
図４は広布２９が上方フレーム１の頂上に設けられた支持エレメント６に容易に取付けられる具体例を示す。つまり広布であるサポート部２９はプラスチックの二つの締着ストリップ２１，２２の間に置かれる。これらの締着ストリップ２１，２２は細長い受止体２３を蟻溝で結合し、そこに保持プレート２４がＵ形ホルダーに挿入される。これはしっかりした形のスライド結合を与える。図５から分かるように、二つの締着ストリップ２１，２２は対応する溝２５と山２６からなり、これらは互いに押し合い、これによりそこに拡布を挟み付けるように構成されている。しかし溝はもし二つの締着ストリップが共に溶けかつ支持体が或る点に加熱されるならば溶融熱を急速に吸収するためだけに使用されうる。丸い閉止部をもったこれらの締着ストリップ２１，２２は可裂性の縁を作らず、締着ストリップで予め作られる拡布と押下ホルダー２０はヘッドに設けられたＴ支持体３０をＣ形体に挿入することによって支持エレメント６に容易に固定される。これはまた組立てに要する多くの時間を節約する。
【００４７】
工場で予めつくられる固定ベッドは折り畳んだ繊維支持材とともにパッケージユニットを形成して積まれ船送され、その後据付サイトで拡げられる必要がある。これらのフレームは夫々の高さに固定される。これは据付サイトでの高い組立ユニットの必要性をなくし、また工場での製造工程を容易に自動化できる。さらに代替用固定ベッドを迅速に据付けるることができ、またフレーム構成部品を再使用して、使用した支持材を工場で新しいものに取り替えることができるから、長い使用期間の後、支持材を容易に代えることがまた可能である。このようにして構築された代替固定ベッドはその後再使用できる。使用された支持物の環境的に安全な廃棄がまた確保される。
【図１】
2014530749.tif 000003
【図２】
2014530749.tif 000004
【図３】
2014530749.tif 000005
【図４】
2014530749.tif 000006
【図５】
2014530749.tif 000007
【手続補正書】
【提出日】平成26年5月22日(2014.5.22)
【手続補正１】
【補正対象書類名】特許請求の範囲
【補正対象項目名】全文
【補正方法】変更
【補正の内容】
【特許請求の範囲】
【請求項１】
対向するレール（２，３）および、または中間レール（４）に固定された支持エレメント（６）を有する第一のフレーム（１）と、第二のフレームに繊維支持物を固定するための支持エレメント（６）を有する第二のフレーム（５）と、フレーム（１，５）を結合する手段とを少なくとも有するものであって、フレーム（１，５）が隅領域において少なくともスペーサ（７，８）を具え、前記スペーサの高さがフレーム（１，５，９）間の折り重ねた支持体の物質高さに相当し、折る以前の予備組立てにおいて支持エレメント（６）によって、フレーム（１，５，９）の側レール（２，３）および中間レール（４）またはいずれか一方に固定され、スペーサ（７，８）にまたは上に軸受に挿入しうる横取付エレメント（１０）又はコラム（１１）が在り、フレーム（１，５，９）が、横取付エレメント（１０）結合することによって、または長いコラム（１０）を貫通軸受に挿入することによって、積み重ね包装ユニットを形成する位置から動作位置に組立てられ、排水タンクに挿入されうることを特徴とする好気性または嫌気性排水純化用固定ベッド。
【請求項２】
取付フレームがフレーム（１，５，９）の両側に少なくとも横方向に取付エレメント（１０）として取付けられ、スペーサ（７，８）、補強エレメント（１６，１７），フレーム（１，９，５）の側レール（２，３）に結合されることを特徴とする請求項１に記載の固定ベッド。
【請求項３】
コラム（１１）用の受止器がフレーム（１，５，９）の隅域に少なくとも設けられ、コラムは第一および第二のフレーム（１，５）間の幅と少なくとも同じであり、コラム（１１）受止器に連続的に挿入され、フレーム（１，５，９）が繊維支持体（２９）に適合されたのち第一のフレーム（１）は支持物質（２９）の同時折りとともに直下のフレーム（５，９）の方にさげられ、コラムの除去またはより短いコラム（１１）の挿入後前記支持物質とともにコンパクトな積重ねた船送ユニット形成でき、より長いコラムをコラム延長部に挿入または配置した後、第一のフレーム（１）の高さが据付サイトで上の方に調節され、上げられたフレーム（１）が長いコラムに固定され、一方第二のフレーム（５）はサポート（２９）の重み付けフレームとして働き、コラム（１１）上をすべりまたサポート（２９）が拡げられる位置でコラム（１１）に固定されることを特徴とする請求項１に記載の固定ベッド。
【請求項４】
コラム（１１）が分離し得るコラム（１１）であり、フレーム（１，５，９）のレール（２，３）とともにスペーサ（７，８）の少なくとも全高さを超える部分と、これに結合されるかまたは伸縮自在に結合される各部分に固定されうる延長部とを有することを特徴とする請求項１に記載の固定ベッド。
【請求項５】
少なくとも一つの中間フレーム（９）が第一のフレーム（１）と第二のフレーム（５）との間に介在されることを特徴とする請求項１に記載の固定ベッド。
【請求項６】
通気エレメント（１３）を有する通気フレーム（１２）が第二のフレーム（５）の直下にはいされることを特徴とする請求項１に記載の固定ベッド。
【請求項７】
コラム（１１）が通気フレーム（１２）上のスペーサ（７）の受止器を介して挿入されベースへの空間を作り、通気フレーム（１２）がコラム（１１）に固定されるかまたは脚を有する側フレームが取付エレメント（１０）としてスペーサ（７）に固定されることを特徴とする請求項６に記載の固定ベッド
【請求項８】
取付エレメント（１０）またはコラム（１１）はフレーム（１，５，１２）が固定された後、第一のフレーム（１）の上に突出することを特徴とする請求項１に記載の固定ベッド。
【請求項９】
ラグまたはフックが、取付エレメント（１０）の頂上側、コラム（１１）の側フレームまたは突出端または第一のフレーム（１）の端レール（１４，１５）に固定され、このラグまたはフックに上昇装置が固定されることを特徴とする請求項１または８に記載の固定ベッド。
【請求項１０】
壁スペーサが、第一のフレーム（１）のレール（２，３，４，１４，１５）の少なくとも一つにまたは取付エレメント（１０）の少なくとも１つのレールに、側フレームに取付けられ、または排水タンクの固定ベッドまたは結合エレメントが固定されて、排水タンクに平行取付の固定ベッドを固定する位置でコラム（１１）の少なくとも一つに固定されることを特徴とする請求項９に記載の固定ベッド。
【請求項１１】
三角補強材（１６，１７）が、フレーム（１，５，９，１２）のレール（２，３，１４，１５）の隅領域のスペーサ（７，８）のために設けられることを特徴とする請求項１に記載の固定ベッド。
【請求項１２】
三角補強材（１６，１７）およびスペーサ（７，８）が、中間フレーム（９，５）の頂側部、底側部に、第一のフレーム（１）の底側部に、第二のフレーム（１２）の頂側部に取付けられることを特徴とする請求項１１に記載の固定ベッド。
【請求項１３】
三角補強材（１６，１７）が孔（１８）あけされ、これに、フランジ（１９）および（２７）を取付けた少なくとも一つの側フレーム（１０）が固定されることを特徴とする請求項１１または１２に記載の固定ベッド。
【請求項１４】
コラム（１１）が、中空コラムであり、底部で通気エレメント（１３）に、および頂部で通気エレメント（１３）に結合され、頂部に圧縮空気入口を有することを特徴とする請求項１に記載の固定ベッド。
【請求項１５】
コラム（１１）がフレーム（１，５，９）間の自由領域に孔を設けており、これらの孔を通して空気または排水タンクに導入されることを特徴とする請求項１４に記載の固定ベッド。
【請求項１６】
支持体（２９）が非分解物質で作られ、ひも状、リボン状、または管状繊維体であるか、または編んだ繊維管であり、または個々の繊維管また複数の繊維がグループまたは巣状の繊維管であり、または微生物用定着ストリップおよび分離用スペーサストリップをもつブロード布であることを特徴とする請求項１に記載の固定ベッド。
【請求項１７】
支持エレメント（６）の引張のために、ラグが非分解性支持体（２９）に取付けられ、または繊維支持体（２９）がラグを形成するために編まれることを特徴とする請求項１６に記載の固定ベッド
【請求項１８】
支持エレメント（６）が相互結合可能なストリップでありかつこれらが集合されるとき、支持物質がクランプされるか、またはストリップが溶かされるとき、支持物質はこれとともに溶かされ得ることを特徴とする請求項１６に記載の固定ベッド。
【請求項１９】
Ｃ形状または他の形状のレールが、支持エレメント（６）として設けられ、これに締着ストリップ（２１，２２）用ホルダー（２０）がＴ形状またはフック状エレメントとともに、固定または挿入され、支持材が前記締着ストリップ（２１，２２）に固定されることを特徴とする請求項１６または１７に記載の固定ベッド。
【請求項２０】
固定ストリップ（２１，２２）が２つの相互結合し得る形状のストリップであり、これらのストリップは永久にまたは離脱自在に相互結合され、結合時に支持材をクランプすることを特徴とする請求項１９に記載の固定ベッド。
【請求項２１】
ストリップ（２１，２２）が細長い受止器（２３）を有し、これにホルダー（２０）の保持板（２４）が挿入され得ることを特徴とする請求項２０に記載の固定ベッド。
【請求項２２】
細長い受止器（２３）が、蟻溝状またはＣ形状外形を有することを特徴とする請求項２１に記載の固定ベッド。
【請求項２３】
ストリップ（２１，２２）が、プラスチック物質で作られ、細長いかまたはくし構造を有し、対応ストリップの溝に係合する溝（２５）および峰部（２６）すなわち相互結合格子パターン（２６）を持ち、かつこれらが支持材の挿入後、共に圧縮されるかまたは溶着されることを特徴とする請求項１９乃至２２のいずれか一項に記載の固定ベッド。
【国際調査報告】
2014530749.tif 000008
2014530749.tif 000009
2014530749.tif 000010
2014530749.tif 000011